【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
光センサのアレイを含むイメージ捕捉手段と、
約１ｍＷ未満の励起光を、少なくとも０．５ｍｍ2である視野内の対象物体に向けるように、そして、前記励起光によって引き起こされた落射蛍光エミッションを、光センサの前記アレイに向けるように構成された、光学機器とを備え、前記光学機器と、光センサのアレイとは、前記視野のイメージについて、少なくとも２．５μｍの解像度を提供するために、それぞれ、前記対象物体に十分に近い、
落射蛍光顕微鏡。
【請求項２】
前記光学機器は、対物レンズと、発光ダイオードと、ＣＭＯＳイメージセンサアレイとを含み、それぞれが、サイズが１立方インチ（約１６．３９ｃｍ3）未満である前記落射蛍光顕微鏡の統合されたハウジング内に含まれる、請求項１に記載の落射蛍光顕微鏡。
【請求項３】
前記光学機器は、対物レンズと、発光ダイオードと、ＣＭＯＳイメージセンサアレイとを含み、それぞれが、統合されたハウジング内に含まれ、ここで、前記光学機器と、光センサのアレイとは、重量が２グラム未満である、請求項１に記載の落射蛍光顕微鏡。
【請求項４】
前記イメージ捕捉手段における、かつ、前記対象物体の、光学倍率は、５以下である、請求項１に記載の落射蛍光顕微鏡。
【請求項５】
前記光学機器は、前記励起光を提供する光源と、光センサの前記アレイと、対物レンズとの間の、セルフアライメントを提供するように構成される、請求項１に記載の落射蛍光顕微鏡。
【請求項６】
前記光学機器は、リアルタイムイメージングの間、光センサの前記アレイと、対物レンズとの間の距離を調節することによって、イメージのフォーカシングを提供するように構成される、請求項１に記載の落射蛍光顕微鏡。
【請求項７】
少なくとも１つの光学フィルタ要素と、前記励起光を生成する光源とを更に含み、ここで、前記少なくとも１つの光学フィルタ要素と、前記光源と、光センサの前記アレイとは、前記落射蛍光顕微鏡から取り外される、及び前記落射蛍光顕微鏡に再取り付けされるように構成される、請求項１に記載の落射蛍光顕微鏡。
【請求項８】
前記光学機器と、光センサの前記アレイとは、前記視野のイメージについて、少なくとも２．５μｍの解像度を、少なくとも３６Ｈｚのレートにおいて提供するために、それぞれ、前記対象物体に十分に近い、請求項１に記載の落射蛍光顕微鏡。
【請求項９】
サイズが１立方インチ（約１６．３９ｃｍ3）未満である落射蛍光顕微鏡であって、前記落射蛍光顕微鏡は、
光を、イメージング対象を含む視野に向けるように構成された、光励起配置と、
向けられた光と、前記イメージング対象との間の相互作用によって引き起こされた蛍光から、イメージデータを生成するように構成された、光センサアレイを含むイメージング回路と、
前記蛍光を、前記光センサアレイに、０．５ｍｍ2にわたって、かつ、少なくとも２．５μｍの解像度で描かれるための前記イメージデータのため、十分な強度及びフォーカスを伴って向けるように構成された、光学配置と
を備える、落射蛍光顕微鏡。
【請求項１０】
サイズが１立方インチ（約１６．３９ｃｍ3）未満であるポータブルハウジング
を備える、イメージング装置であって、前記ポータブルハウジングは、
励起光を提供する、励起源と、
第１の端と、第２の端とを有する、光学経路を提供する、細長い機器と
を備え、前記細長い機器は、
前記光学経路の前記第１の端における対物レンズと、
前記励起光を、前記対物レンズに向けるように構成及び配置された、１つ以上の励起要素と、
前記対物レンズから受け取られた落射蛍光エミッション光から、前記光学経路の前記第２の端における焦点面を提供するように構成及び配置された、１つ以上のエミッション要素と
前記焦点面において配置された、かつ、前記落射蛍光エミッション光から、対象物体のイメージを捕捉するように構成及び配置された、光センサのアレイを含む、イメージング回路と
を含み、前記イメージは、複数の個々の毛細血管を捕捉するための十分な視野と、前記個々の毛細血管を相互に区別するための十分な解像度とを有する、イメージング装置。
【請求項１１】
前記対物レンズは、ほぼ平行にされた落射蛍光エミッション光を、前記光学経路内に向け、前記十分な解像度は、毛細血管を通って流れている個々の赤血球を区別する、又は解像することが可能である、請求項１０に記載のイメージング装置。
【請求項１２】
前記細長い機器は、前記対物レンズと、光センサの前記アレイとの間の、前記光学経路内に配置された、アクロマティックレンズを更に含み、前記アクロマティックレンズは、前記対物レンズからの、平行にされた落射蛍光を受け取り、前記平行にされた落射蛍光を、光センサの前記アレイに対応する焦点面上にフォーカスさせるように構成される、請求項１０に記載のイメージング装置。
【請求項１３】
前記励起源は、発光ダイオードである、請求項１０に記載のイメージング装置。
【請求項１４】
前記細長い機器は、前記光学経路内に配置された、かつ、前記励起源からの前記励起光を、前記対物レンズに反射し、前記対物レンズからの前記落射蛍光エミッション光を通過させるように構成された、ダイクロイックミラーを更に含む、請求項１０に記載のイメージング装置。
【請求項１５】
前記イメージング装置は、前記対象物体の連続したイメージを、少なくとも５０Ｈｚのレートで捕捉するように構成及び配置され、前記イメージは、複数の個々の毛細血管を捕捉するための十分な視野と、前記個々の毛細血管を相互に区別する、かつ、毛細血管を通って流れている個々の赤血球を区別するための、十分な解像度とを有する、請求項１０に記載のイメージング装置。
【請求項１６】
前記励起源は、前記励起源を別の励起源と交換することを可能にする、締結要素を使用して、前記細長い機器に物理的に接続される、請求項１０に記載のイメージング装置。
【請求項１７】
前記細長い機器は、前記対物レンズと、光センサの前記アレイとの間の、前記光学経路内に配置された、エミッションフィルタを更に含み、前記エミッションフィルタは、前記落射蛍光エミッション光の波長を含む、帯域通過を有するように構成される、請求項１０に記載のイメージング装置。
【請求項１８】
前記細長い機器は、前記イメージのフォーカシングを可能にするために、前記光学経路内の光学要素を調節するように構成される、請求項１０に記載のイメージング装置。
【請求項１９】
前記イメージング装置は、移動している生体の、インビボのイメージを捕捉するように構成される、請求項１０に記載のイメージング装置。
【請求項２０】
捕捉されたイメージを、デジタルデータとして送信する、送信器回路を更に含む、請求項１０に記載のイメージング装置。
【請求項２１】
前記イメージング装置は、外部光学データ記録／設定システムとインタフェースするための、同期化回路を含み、ここで、前記同期化回路は、前記イメージング装置と、前記外部光学データ記録／設定システムとの間で通信されるデータのための、同期化情報を提供する、フレームアクティブ信号を通信するように構成及び配置される、請求項１０に記載のイメージング装置。
【請求項２２】
請求項１に記載の前記落射蛍光顕微鏡を使用する方法であって、
慢性実験の間の、共通イメージング位置の反復イメージングのための、正確な顕微鏡アライメントを可能にするために、支持構造物のベースプレートに、前記落射蛍光顕微鏡を取り付けるステップ、及び再度取り付けるステップを含む、前記落射蛍光顕微鏡を使用する方法。
【請求項２３】
請求項１１に記載のイメージング装置を使用する方法であって、
慢性実験の間の、共通イメージング位置の反復イメージングのための、正確な顕微鏡アライメントを可能にするために、支持構造物のベースプレートに、落射蛍光顕微鏡を取り付けるステップ、及び再度取り付けるステップを含む、イメージング装置を使用する方法。
【請求項２４】
イメージ補足手段及び前記光学機器を含む前記落射蛍光顕微鏡は、２ｇ未満であり、前記ハウジング内に含まれる前記発光ダイオードは、前記励起光を提供する請求項２に記載の落射蛍光顕微鏡。
【請求項２５】
前記光学機器は、対物レンズと、１立方インチ未満である前記落射蛍光顕微鏡のハウジング内に含まれると共に前記励起光を放射する光源とを備え、イメージ補足手段及び前記光源を含む前記光学機器は、２ｇ未満である請求項１に記載の落射蛍光顕微鏡。
【請求項２６】
前記光源によって提供された前記励起光は、前記光学機器の１つ以上の励起要素によって、前記対物レンズに向けられる請求項２５に記載の落射蛍光顕微鏡。
【請求項２７】
前記対物レンズは、前記励起光を前記対象物体に向けると共に前記励起光を前記視野に焦点を合わせるように構成される請求項２６に記載の落射蛍光顕微鏡。
【請求項２８】
前記光学機器は、前記対物レンズを介して前記対象物体から受け取られる落射蛍光エミッション光から焦点面を提供するように構成された１つ以上のエミッション要素を更に含む請求項２７に記載の落射蛍光顕微鏡。
【請求項２９】
前記イメージ補足手段は、前記焦点面に提供されると共に互いに個々の毛細血管を区別するように十分な解像度で複数の個々の毛細血管を含む前記視野の画像を補足するように構成された請求項２８に記載の落射蛍光顕微鏡。
【請求項３０】
前記視野の前記画像は、前記個々の毛細血管を通って流れている個々の赤血球を区別するように十分な解像度を有する請求項２９に記載の落射蛍光顕微鏡。
【請求項３１】
前記１つ以上のエミッション要素は、前記対物レンズと前記イメージ補足手段との間に配置される色収差補正レンズを含み、前記色収差補正レンズは、前記対物レンズから平行にされた落射蛍光を受け取ると共に、前記イメージ補足手段が提供される前記焦点面に前記平行にされた落射蛍光の焦点を合わせる請求項２９に記載の落射蛍光顕微鏡。
【請求項３２】
前記対象物体は、マウスの脳であり、前記落射蛍光顕微鏡は、前記マウスの頭に取り付けられると共に目を覚まして行動している間に生体内の脳イメージングに提供するように構成される請求項２５に記載の落射蛍光顕微鏡。
【請求項３３】
前記目を覚まして行動していることは、前記マウスの運動を含み、前記視野の画像は、前記マウスの前記運動の間に互いに個々の毛細血管を区別するように十分な解像度で前記マウスの前記脳の複数の個々の毛細血管を含む請求項３２に記載の落射蛍光顕微鏡。
【請求項３４】
前記対象物体の前記視野への前記対物レンズからの距離は、前記視野の前記画像が焦点が合うように、５０〜２５０μｍである請求項２９に記載の落射蛍光顕微鏡。
【請求項３５】
前記イメージ補足手段への前記対物レンズからの距離は１インチ未満である請求項２５に記載の落射蛍光顕微鏡。
【請求項３６】
前記励起光は、光ファイバーを利用しないで前記対物レンズに前記ハウジング内の前記光源から提供される請求項２７に記載の落射蛍光顕微鏡。
【請求項３７】
光ファイバーは、前記ハウジング内に提供されない請求項２５に記載の落射蛍光顕微鏡。
【請求項３８】
前記ハウジングは、黒い原料から形成され又は吸収性のある原料の層を含む請求項２７に記載の落射蛍光顕微鏡。
【請求項３９】
前記ハウジングは、ねじ込み式のインタフェースを、前記イメージ補足手段を保持する前記ハウジングの部分と前記対物レンズを保持する前記ハウジングの部分との間に含み、前記ねじ込み式のインタフェースは、前記焦点面を調整するように、前記イメージ補足手段と前記対物レンズとの間の距離の細密調整を提供するように構成された請求項２９に記載の落射蛍光顕微鏡。
【請求項４０】
前記光学機器は、前記対物レンズに前記光源から前記励起光を反射させると共に前記イメージ補足手段に前記対物レンズから落射蛍光エミッション光を通過させるように構成されるダイクロイックミラーを含む請求項２９に記載の落射蛍光顕微鏡。
【請求項４１】
前記視野の画像を表示する外部装置とインタフェースする同期化回路を更に含む請求項２５に記載の落射蛍光顕微鏡。
【請求項４２】
前記外部装置は、前記光源の制御を提供する請求項４１に記載の落射蛍光顕微鏡。
【請求項４３】
前記対物レンズは、勾配屈折率分布型レンズ（ＧＲＩＮ）である請求項２に記載の落射蛍光顕微鏡。
【請求項４４】
前記勾配屈折率分布型レンズ（ＧＲＩＮ）は、約２ｍｍの直径、約０．２４５のピッチ長さ、又は約０．４５の開口数の特徴の少なくとも１つを有する請求項４３に記載の落射蛍光顕微鏡。
【請求項４５】
前記落射蛍光顕微鏡は、前記対象物体の視野のビデオ画像を補足するように構成されかつ配置される請求項２５に記載の落射蛍光顕微鏡。
【請求項４６】
立方インチ未満のハウジングを更に含み、前記ハウジングは、イメージ補足手段を含み、落射蛍光顕微鏡は２ｇ未満である請求項１０に記載のイメージング装置。
【請求項４７】
光を提供する光源を更に含み、前記光源は、前記ハウジング内に含まれる請求項４６に記載のイメージング装置。
【請求項４８】
外部光学的データ記録／構成システムと通信するように構成されるインタフェースを更に含む請求項４６に記載のイメージング装置。
【請求項４９】
前記落射蛍光顕微鏡は、少なくとも５０Ｈｚの割合でイメージング対象の連続して起こる画像を補足するように構成されかつ配置される請求項４６に記載のイメージング装置。